(57)【要約】【課題】化粧品を倒さずに容易に取り扱えるようにする。【解決手段】立姿勢での鉛直方向の長さが少なくとも一部の水平方向の長さよりも長い化粧品Ｋを載置する載置面Ｆ１を設けたプレート状のホルダー本体１の上面に、縦横に所定間隔を隔てて凹部を形成し、各凹部に化粧品Ｋを磁気によって吸着保持する永久磁石２を嵌入し、化粧品Ｋを自立姿勢で載置保持する化粧品ホルダー３を構成する。【選択図】　　　　図１
2004024377.tif 000002
【特許請求の範囲】
【請求項１】
立姿勢での鉛直方向の長さが少なくとも一部の水平方向の長さよりも長い化粧品を載置する載置面をホルダー本体に設けるとともに、前記ホルダー本体に、前記化粧品を磁気によって吸着保持する磁石を付設したことを特徴とする化粧品ホルダー。
【請求項２】
立姿勢での鉛直方向の長さが少なくとも一部の水平方向の長さよりも長い化粧品を載置する載置面と前記化粧品を磁気によって吸着保持する磁石とを設けたホルダー本体と、
前記化粧品を挿脱可能に挿入するとともに前記磁石と吸引する性質を有する材料を含んだ化粧品用袴と、
から構成したことを特徴とする化粧品ホルダー。
【請求項３】
請求項１または２に記載の化粧品ホルダーにおいて、
磁石が永久磁石である化粧品ホルダー。
【発明の詳細な説明】
【０００１】
【発明の属する技術分野】
本発明は、口紅、紫外線防御スティックやリップクリームやスティックアイシャドウやスティックファンデーションなどのスティック状化粧品、眉墨やアイラインやマニキュアやペディキュアやマスカラなどのペンシル状化粧品、香水瓶、美白クリームなどのチューブ状化粧品などといった、立姿勢での鉛直方向の長さが少なくとも一部の水平方向の長さよりも長い化粧品を容易に取り扱える便利な化粧品ホルダーに関する。
【０００２】
【従来の技術】
口紅、ペンシル状化粧品、香水瓶などでは、底部を平滑面に構成し、自立できるようにしている。また、チューブ状化粧品などは、チューブ本体に対する蓋の上面を平滑面に構成し、蓋側を下向きにした状態で自立できるようにしている。ところが、上述のような化粧品は、自立はしていても非常に不安定で、口紅を手に取るときに他の化粧品に当てて倒すなど、非常に倒れやすい欠点があった。
そこで、一般に、洗面台や鏡台などに外周縁が高くなったトレーを置き、そのトレー内にまとめて収納し、倒れても転がり落ちたりしないようにしている。
【０００３】
【発明が解決しようとする課題】
しかしながら、化粧をするときに、手が当たったりしてすぐ転がり、他の化粧品を倒してしまうなど、整然と整理しにくいばかりか雑然とした状態になりがちであるという欠点があった。
【０００４】
また、化粧品そのものに自立機能を持たせるために、化粧品の底面や蓋の上面を平滑面に構成せざるを得ず、デザイン的に制約を受け、底部側が先鋭になった形状とか、人魚のような形状など、奇抜な形状で人目を惹く化粧品を製作できず、化粧品そのものにカラフルさがあっても全体形状でのデザイン面で斬新性が低く購買意欲を高める面で改善の余地があった。
【０００５】
本発明は、このような事情に鑑みてなされたものであって、請求項１に係る発明は、化粧品を倒さずに容易に取り扱えるようにすることを目的とし、請求項２に係る発明は、化粧品自体の形状に制約を与えずに倒れたりせずに容易に取り扱え、かつ、化粧室の洗面台などのように、陶器でできているような箇所でも化粧品を容易に取り扱え、更に、化粧品のみでも袴に挿入した状態でも容易に持ち運びできるようにすることを目的とし、請求項３に係る発明は、請求項１または２に係る化粧品ホルダーを安価に提供できるようにすることを目的とする。
【０００６】
【課題を解決するための手段】
請求項１に係る発明の化粧品ホルダーは、上述のような目的を達成するために、
立姿勢での鉛直方向の長さが少なくとも一部の水平方向の長さよりも長い化粧品を載置する載置面をホルダー本体に設けるとともに、前記ホルダー本体に、前記化粧品を磁気によって吸着保持する磁石を付設して構成する。
【０００７】
【作用】
請求項１に係る発明の化粧品ホルダーの構成によれば、口紅、スティック状化粧品、ペンシル状化粧品などの化粧品において、磁石に吸引する性質を持った材料を底部に備えている場合に、磁石の磁気を利用して化粧品を吸着保持させ、化粧品ホルダーに載置保持させることができる。
（効果）これにより、例えば、化粧室の洗面台などのように、陶器でできているような箇所でも、洗面台とか近くの棚にホルダー本体を置き、また、鏡台のように木製でできている場合には鏡台にホルダー本体を置き、そのホルダー本体に化粧品を倒れることなく良好に自立させることができ、化粧品を容易に取り扱うことができるとともに、自立した状態で整然と整理できる。
【０００８】
また、請求項２に係る発明の化粧品ホルダーは、前述のような目的を達成するために、
立姿勢での鉛直方向の長さが少なくとも一部の水平方向の長さよりも長い化粧品を載置する載置面と前記化粧品を磁気によって吸着保持する磁石とを設けたホルダー本体と、
前記化粧品を挿脱可能に挿入するとともに前記磁石と吸引する性質を有する材料を含んだ化粧品用袴とから構成する。
【０００９】
【作用】
請求項２に係る発明の化粧品ホルダーの構成によれば、化粧品のケースがプラスチックなどの磁石と吸引する性質を持たないものの場合であっても、自立保持させるときには化粧品用袴に化粧品を挿入して自立させることができながら、持ち運びの際には化粧品を化粧品用袴から抜き出すことができる。
（効果）これにより、化粧品のみでも化粧品用袴に挿入した状態でもバッグ内に入れて容易に持ち運ぶことができる。
また、化粧品用袴とホルダー本体とをセットにして持ち運べば、外出先の化粧室でも、複数本の化粧品を自立保持させ、洗面器内に落としたりせずに化粧品を容易良好に取り扱うことができる。
しかも、例えば、磁石と吸引する性質を有する材料と化粧品とを両面接着テープなどで着脱する場合に比べ、既存の化粧品に対して容易良好に適用できる。
【００１０】
また、請求項３に係る発明は、前述のような目的を達成するために、
請求項１または２に記載の化粧品ホルダーにおいて、
磁石を永久磁石で構成する。
【００１１】
【作用】
請求項３に係る発明の化粧品ホルダーの構成によれば、磁石として、構成が簡単で入手しやすい永久磁石を用いることができる。
（効果）これにより、化粧品ホルダーをコンパクトに構成できるうえに安価に構成できて経済的である。
【００１２】
【発明の実施の形態】
次に、本発明の実施例を図面に基づいて詳細に説明する。
図１は、本発明に係る化粧品ホルダーの第１実施例を示す全体斜視図であり、立姿勢での鉛直方向の長さが少なくとも一部の水平方向の長さよりも長い化粧品Ｋを載置する載置面Ｆ１を設けたプレート状のホルダー本体１に、化粧品Ｋを磁気によって吸着保持する永久磁石２が付設され、化粧品Ｋを自立姿勢で載置保持する化粧品ホルダー３が構成されている。
【００１３】
ホルダー本体１の上面には、図２の縦断面図に示すように、縦横に所定間隔を隔てて凹部４が形成され、各凹部４それぞれに永久磁石２が嵌入され、その上面がフィルム５で被覆されている。
【００１４】
上記構成により、ケースの底部側が永久磁石２に吸引する性質を持った材料で形成されている口紅などの化粧品Ｋを載置することによって吸着保持できる。
【００１５】
図３は、本発明に係る化粧品ホルダーの第２実施例を示す全体斜視図であり、第１実施例と異なるところは次の通りである。
すなわち、袴本体６が樹脂製で有底筒状に形成され、大半部が化粧品Ｋの挿入空間Ｓに構成され、その挿入空間Ｓの底部側に凹部が設けられ、磁石と吸引する性質を有する材料としてのスチール製の円形部材７が凹部に嵌入され、化粧品Ｋを挿脱可能に挿入する化粧品用袴８が構成されている。
【００１６】
上記化粧品用袴８と前述したホルダー本体１とから化粧品ホルダ９が構成されている。
図示しないが、袴本体６の内周面の挿入空間Ｓの入口側箇所は滑らかなテーパ面に形成されるとともに、袴本体６の内周面の周方向の一箇所に、底部に連なる排気溝が設けられ、化粧品Ｋの挿脱時に空気を流出・流入させ、化粧品Ｋを挿脱しやすいように構成されている。排気の構成は、袴本体６の底部に貫通孔を設けるなど、各種の構成が採用できる。
【００１７】
この第２実施例によれば、磁石に吸引する性質を持った材料で形成されていない化粧品Ｋであっても、化粧品Ｋを化粧品用袴８に挿入することにより、化粧品用袴８の円形部材７がホルダー本体１の永久磁石２の吸引力によって吸着され、化粧品Ｋを自立姿勢で載置保持することができる。
【００１８】
上記挿入空間Ｓとしては、口紅に限らず、紫外線防御スティックやリップクリームやスティックアイシャドウやスティックファンデーションなどのスティック状化粧品、眉墨やアイラインやマニキュアやペディキュアやマスカラなどのペンシル状化粧品、香水瓶、美白クリームなどのチューブ状化粧品などといった、要するに、立姿勢での鉛直方向の長さが少なくとも一部の水平方向の長さよりも長く、自立させていても倒れやすい化粧品Ｋを挿入できるものであれば良く、その形状は、挿入する化粧品Ｋの形状に合わせれば良い。また、歯ブラシを自立保持させるのに利用することも可能である。
【００１９】
また、例えば、先鋭な形状とか人魚のような形状など自立が困難な形状の化粧品Ｋに対しても、その挿入空間Ｓの形状を化粧品Ｋに合わせることで自立機能を備えさせるようにすれば良い。
【００２０】
本発明としては、永久磁石２に限らず、例えば、ホルダー本体１の外周面に太陽電池パネルを設け、その発電電力によって磁気を発生するように構成した電磁石を設けるようにしても良い。
袴本体６の材料としては、樹脂製やスチールなどの金属製など、各種のものが使用できるが、華麗なデザインを施すとともに光沢のある仕上げとすることにより、高級感のあるものを容易にかつ安価に製作できる樹脂製が好ましい。更に、漆くい調にして、より一層高級感のあるものに構成するようにしても良い。ホルダー本体１についても同様である。
【００２１】
図４は、本発明に係る化粧品ホルダーの第３実施例を示す全体斜視図であり、第２実施例と異なるところは、次の通りである。
すなわち、ホルダー本体１が、化粧品Ｋを３本程度吸着保持できるハンディーサイズの小さいものに構成されている。図面上、化粧品Ｋに対応する箇所にのみ永久磁石２を示しているが、その設置形態ならびに個数は適宜設定すれば良い。また、図示していないが、他の２枚のホルダー本体１にも、永久磁石２が同様に設けられている、
【００２２】
この構成により、家庭で使用するときには、それらのホルダー本体１の複数枚を並べて載置し、そこに化粧品Ｋを自立姿勢で吸着保持させておくことができる。そして、外出の際には、口紅と眉墨とアイラインなどといった必要な化粧品Ｋと一枚のホルダー本体１と、必要に応じて化粧品用袴８とを持ち運ぶことにより、外出先でも、例えば、洗面台の近くにホルダー本体１を載置して、その上に化粧品Ｋを並べるなど、化粧品Ｋを洗面器内に落としたりせずに容易良好に取り扱うことができる。
【００２３】
上記実施例では、ホルダー本体６を平板状に形成しているが、本発明としては、階段状に形成するものでも良く、また、ターンテーブル状に構成するものでも良い。
【００２４】
本発明の化粧品ホルダーとしては、上述のような化粧品用袴８に限らず、例えば、平滑な下向き面を備えさせた部材に磁石によって吸引されるスチール板などを付設し、その部材に粘着テープを設け、粘着テープによって化粧品Ｋの底部に着脱可能に取り付けるように構成するものでも良い。
【００２５】
【発明の効果】
以上の説明から明らかなように、請求項１に係る発明の化粧品ホルダーによれば、口紅、スティック状化粧品、ペンシル状化粧品、香水瓶、チューブ状化粧品といった化粧品を、磁石に吸引する性質を持った材料を底部に備えている場合に、磁石の磁気を利用して化粧品を吸着保持させ、化粧品ホルダーに載置保持させることができ、例えば、化粧室の洗面台などのように、陶器でできているような箇所でも、洗面台とか近くの棚にホルダー本体を置き、また、鏡台のように木製でできている場合には鏡台上にホルダー本体を置き、そのホルダー本体に化粧品を倒れることなく良好に自立させることができ、化粧品を容易に取り扱うことができるとともに、自立した状態で整然と整理できる。
【図面の簡単な説明】
【図１】本発明に係る化粧品ホルダーの第１実施例を示す全体斜視図である。
【図２】化粧品ホルダーの縦断面図である。
【図３】本発明に係る化粧品ホルダーの第２実施例を示す斜視図である。
【図４】本発明に係る化粧品ホルダーの第３実施例を示す斜視図である。
【符号の説明】
１…ホルダー本体
２…永久磁石
３…化粧品ホルダー
８…化粧品用袴
９…化粧品ホルダー
Ｆ１…載置面
Ｋ…化粧品
【図１】
2004024377.tif 000003
【図２】
2004024377.tif 000004
【図３】
2004024377.tif 000005
【図４】
2004024377.tif 000006